(57)【要約】【課題】  小型化，低背化を図った上で相手側の雄型電気接続端子との挿抜時にバネ構造で機能上必要とされる変形に適さない過大変形を防止可能な構造を持つ雌型電気接続端子を提供すること。【解決手段】  この端子では、接続部１１のバネ構造における舌状のバネ片部１３の開口部（雄型電気接続端子のピン状接続部を挿入するためのもの）の入口側寄りの先端部分近傍に開口部の外方側へ突出する突起１３ａを持たせ、且つ壁面の突起１３ａの近傍箇所に突起１３ａを変位可能とさせる空間を有して空間周囲の壁部で突起１３ａと当接して突起１３ａの変位量を規制する切り欠き開口部１４を設けており、ピン状接続部による挿抜時に突起１３ａが切り欠き開口部１４周囲の壁部と当接可能に変位することにより、挿抜方向とバネ片部１３における変位方向との両方向でバネ片部１３の変位を規制して過大変形を防止する。【選択図】  図１
2005243459.tif 000002
【特許請求の範囲】
【請求項１】
相手側の雄型電気接続端子との嵌合接続に供される接続部と、前記接続部から延在して電線の接続保持に供される電線保持部とを一体的に有し、更に、前記接続部は、前記雄型電気接続端子におけるピン状接続部を挿入可能な開口部を区画形成した壁面を有し、且つ該開口部内で該壁面から折り返されて形成された舌状のバネ片部を含んだ片持ち板バネ構造を有する雌型電気接続端子において、前記バネ片部は、先端部分近傍における少なくとも一箇所に該開口部の外方側へ突出するように形成された突起を有し、前記壁面にあっての前記突起の近傍箇所には、前記突起を変位可能とさせる空間を有して該空間周囲の壁部で該突起と当接して該突起の変位量を規制可能とする変位規制部が設けられ、前記突起は、前記片持ち板バネ構造に外部からの外力が加わったとき又は前記ピン状接続部による挿抜時に前記変位規制部にあっての前記空間周囲の壁部と当接可能に変位することにより、挿抜方向と前記バネ片部における変位方向との両方向で該バネ片部の変位を規制して過大変形を防止可能であることを特徴とする雌型電気接続端子。
【請求項２】
請求項１記載の雌型電気接続端子において、前記バネ片部は、前記開口部内で対向するように設けられた一対のものから成り、前記一対のバネ片部における少なくとも一方のものが前記突起を有し、前記変位規制部は、前記壁面にあっての前記突起の近傍箇所で前記突起を変位可能に設けられたことを特徴とする雌型電気接続端子。
【請求項３】
請求項１又は２記載の雌型電気接続端子において、前記突起は、前記バネ片部における前記開口部側寄りの前記ピン状接続部の挿入を案内するための案内部に設けられたことを特徴とする雌型電気接続端子。
【請求項４】
請求項１〜３の何れか一つに記載の雌型電気接続端子において、前記変位規制部は、前記壁面にあっての前記突起の近傍箇所に設けられた切り欠き開口部であることを特徴とする雌型電気接続端子。
【請求項５】
請求項４記載の雌型電気接続端子において、前記突起は、前記切り欠き開口部にあっての前記空間へ突出し、且つ前記接続部における前記壁面の表面から突出しない寸法で設けられたことを特徴とする雌型電気接続端子。
【請求項６】
請求項１〜３の何れか一つに記載の雌型電気接続端子において、前記変位規制部は、前記壁面にあっての前記突起の近傍箇所に設けられた凹部であることを特徴とする雌型電気接続端子。
【請求項７】
請求項６記載の雌型電気接続端子において、前記突起は、前記凹部にあっての前記空間へ突出し、且つ該凹部の凹み面に当接しない寸法で設けられたことを特徴とする雌型電気接続端子。
【発明の詳細な説明】
【技術分野】
【０００１】
本発明は、主として相手側の雄型電気接続端子との嵌合接続に供される接続部、及びかしめ変形により電線の接続保持に供される電線保持部を一軸方向に延在するように一体的に有し、且つ接続部が舌状のバネ片部を含んだ片持ち板バネ構造を有する雌型電気接続端子に関し、詳しくは相手側の雄型電気接続端子との挿抜時にバネ構造で機能上必要とされる変形に適さない過大変形を防止可能な構造を持つ雌型電気接続端子に関する。
【背景技術】
【０００２】
従来、この種の雌型電気接続端子（所謂雌型コンタクトと呼ばれるもの）は、母材板からの打ち抜き及び折り曲げを経て形成されるもので、基本構造として相手側の雄型電気接続端子との嵌合接続に供される接続部と、この接続部から延在して電線の接続保持に供される電線保持部とを一軸方向に延在するように一体的に有し、更に、接続部は雄型電気接続端子におけるピン状接続部を挿入可能な開口部を区画形成した壁面を有し、且つ開口部内で壁面から折り返されて一軸方向に延在するように形成された舌状のバネ片部を含んだ片持ち板バネ構造を有するものが汎用的である。
【０００３】
このような接続部がバネ構造を有する雌型電気接続端子であって、接続部の開口部の断面形状が略ロ字状であるものとして、底面から両方の側面が立設されると共に、一つの側面から底面と対向する上面が形成されるように折り返され、且つ上面から折り返されて上面下で一軸方向に延在するように片持ち板バネ部が形成された一体化構造の接続部を持つもの（特許文献１参照）が挙げられる。
【０００４】
この雌型電気接続端子の場合、接続部におけるバネ構造へ相手側の雄型電気接続端子を嵌合接続する際、底面及び片持ち板バネ部の間の側面で囲まれた開口部に雄型電気接続端子のピン状接続部を挿入し、片持ち板バネ部の変形による接触力を得ることによって接続が行われる。
【０００５】
ところで、雌型電気接続端子ではピン状接続部との嵌合接続に際して、接続部のバネ構造における接触動作についての信頼性を確保するため、外部からバネ構造に対して外力が加えられたときの過大変形、並びにピン状接続部をバネ構造に挿抜したときの挿抜方向における座屈変形からバネ構造を保護することを考慮する必要がある。
【０００６】
前者の課題は、一般にバネ構造を囲むように底面，側面，及び上面（天井）を一体的に筒状に設け、外からバネ構造を容易に触れることができない構造とすることにより対策できる。又、後者の課題は、特許文献１で開示されているように、上面の一部を底面に向かって屈曲させて係止片を形成すると共に、板バネ部に係止片が嵌合するように孔部を設け、雄型電気接続端子のピン状接続部との嵌合接続時に板バネ部が座屈変形しようとしても係止片に板バネ部の孔部が掛る構造とすることにより座屈変形の防止対策が図られる。
【０００７】
【特許文献１】特開２００３−３３１９６２号公報（要約）
【発明の開示】
【発明が解決しようとする課題】
【０００８】
上述した特許文献１に係る雌型電気接続端子の場合、座屈変形を防止し得る構造となっているが、ここでは雄型電気接続端子のピン状接続部を挿入するときに係止片が接続部の接触面に当たってしまうため、ピン状接続部の接触面を削ったり、或いは傷付けることがあり、こうした場合に接続機能に支障を来す可能性があるため、基本構造上において好ましくなく、しかも板バネ部における変位方向の過大変形を防止することができないという問題もある。
【０００９】
又、外からバネ構造を容易に触れることができない構造とする場合、昨今のコネクタへの小型化，低背化の要求に伴う雌型電気接続端子の小型化対策として、上面を低くし、バネ構造の変形を妨げない程度に上面を切り欠いた構造とする対策が考えられるが、こうした場合には元来持っていた外部からバネ構造に対して外力が加えられたときの過大変形を防止する機能が損われるため、結果として小型化，低背化を十分に図り得ないという難点がある。
【００１０】
更に、雌型電気接続端子における接続部の上面の背高を低くし、誘いを設けて雄型電気接続端子のピン状接続部がバネ構造の先端に突き当たるのを防止し、バネ構造の先端の誘いとピン状接続部の先端に設けた誘いとによりピン状接続部を板バネ部と底面との間に誘い込む構造とする対策も考えられるが、こうした場合には板バネ部が外力に耐え切れずに座屈を含む過大変形を生じた後にそれを抑止する構造を持たせることが困難となるため、バネ構造の座屈変形を十分に防止できないという難点がある。
【００１１】
要するに、従来の雌型電気接続端子においては、小型化，低背化を図った上で接続部のバネ構造における外部からの外力による過大変形、並びに雄型電気接続端子のピン状接続部による挿抜時にあっての挿抜方向での座屈変形及び変位方向での過大変形を十分に防止できないという問題がある。
【００１２】
本発明は、このような問題点を解決すべくなされたもので、その技術的課題は、小型化，低背化を図った上で接続部のバネ構造における外部からの外力による過大変形、並びに雄型電気接続端子のピン状接続部による挿抜時にあっての挿抜方向での座屈変形及び変位方向での過大変形を十分に防止し得る構造の雌型電気接続端子を提供することにある。
【課題を解決するための手段】
【００１３】
本発明によれば、相手側の雄型電気接続端子との嵌合接続に供される接続部と、接続部から延在して電線の接続保持に供される電線保持部とを一体的に有し、更に、接続部は、雄型電気接続端子におけるピン状接続部を挿入可能な開口部を区画形成した壁面を有し、且つ該開口部内で該壁面から折り返されて形成された舌状のバネ片部を含んだ片持ち板バネ構造を有する雌型電気接続端子において、バネ片部は、開口部の入口側寄りの先端部分近傍における少なくとも一箇所に該開口部の外方側へ突出するように形成された突起を有し、壁面にあっての突起の近傍箇所には、突起を変位可能とさせる空間を有して該空間周囲の壁部で該突起と当接して該突起の変位量を規制可能とする変位規制部が設けられ、突起は、片持ち板バネ構造に外部からの外力が加わったとき又はピン状接続部による挿抜時に変位規制部にあっての空間周囲の壁部と当接可能に変位することにより、挿抜方向とバネ片部における変位方向との両方向で該バネ片部の変位を規制して過大変形を防止可能である雌型電気接続端子が得られる。
【００１４】
又、本発明によれば、上記雌型電気接続端子において、バネ片部は、開口部内で対向するように設けられた一対のものから成り、一対のバネ片部における少なくとも一方のものが突起を有し、変位規制部は、壁面にあっての突起の近傍箇所で突起を変位可能に設けられた雌型電気接続端子が得られる。
【００１５】
更に、本発明によれば、上記何れかの雌型電気接続端子において、突起は、バネ片部における開口部側寄りのピン状接続部の挿入を案内するための案内部に設けられた雌型電気接続端子が得られる。
【００１６】
一方、本発明によれば、上記何れか一つの雌型電気接続端子において、変位規制部は、壁面にあっての突起の近傍箇所に設けられた切り欠き開口部である雌型電気接続端子が得られる。この雌型電気接続端子において、突起は、切り欠き開口部にあっての空間へ突出し、且つ接続部における壁面の表面から突出しない寸法で設けられたことは好ましい。
【００１７】
他方、本発明によれば、上記何れか一つの雌型電気接続端子において、変位規制部は、壁面にあっての突起の近傍箇所に設けられた凹部である雌型電気接続端子が得られる。この雌型電気接続端子において、突起は、凹部にあっての空間へ突出し、且つ該凹部の凹み面に当接しない寸法で設けられたことは好ましい。
【発明の効果】
【００１８】
本発明の雌型電気接続端子の場合、接続部のバネ構造における舌状のバネ片部にあっての開口部の入口側寄りの先端部分近傍における少なくとも一箇所に開口部の外方側へ突出するように突起を持たせると共に、開口部を区画形成する壁面にあっての突起の近傍箇所に対し、突起を変位可能とさせる空間を有して空間周囲の壁部で突起と当接して突起の変位量を規制する変位規制部を設けた構造としているため、片持ち板バネ構造に外部からの外力が加わったとき又は雄型電気接続端子のピン状接続部による挿抜時に突起が変位規制部にあっての空間周囲の壁部と当接可能に変位することにより、挿抜方向とバネ片部における変位方向との両方向でバネ片部の変位を規制して過大変形を防止することができるようになる他、変位規制部を切り欠き開口部として突起を切り欠き開口部にあっての空間へ突出させ、且つ接続部における壁面の表面から突出しない寸法で設ける構造（突起が切り欠き開口部で露呈されても外壁面には突出しない構造）としたり、或いは変位規制部を凹部として突起を凹部にあっての空間へ突出させ、且つ凹部の凹み面に当接しない寸法で設ける構造（突起が外壁面に露呈しない構造）としているので、コネクタハウジング部品に挿入する際、突起が引っ掛ることなく、外部からの外力による過大変形についても十分に防止することができ、しかも小型化，低背化を容易に図り得る構造であるため、結果として、接続部のバネ構造における接触動作についての信頼性が十分に確保されて雄型電気接続端子のピン状接続部を安定して挿抜することができるようになり、従来に無く嵌合接続による電気的な接続を信頼性高く行うことができる上、コネクタハウジングへの収容に際してハウジング部品を傷付けることなく容易に効率良く収容作業を行うことができることにより、高密度で電気的接続機能における信頼性が極めて高い雌型コネクタを容易に作製できるようになる。
【発明を実施するための最良の形態】
【００１９】
本発明の最良の形態に係る雌型電気接続端子は、相手側の雄型電気接続端子との嵌合接続に供される接続部と、この接続部から延在してかしめ変形により電線の接続保持に供される電線保持部とを一軸方向に延在するように一体的に有し、更に、接続部は、雄型電気接続端子におけるピン状接続部を挿入可能な開口部を区画形成した壁面を有し、且つ開口部内で壁面から折り返されて一軸方向に延在するように形成された舌状のバネ片部を含んだ片持ち板バネ構造を有する基本構成において、バネ片部は、開口部の入口側寄りの先端部分近傍における少なくとも一箇所に開口部の外方側へ突出するように形成された突起を有し、壁面にあっての突起の近傍箇所には、突起を変位可能とさせる空間を有して空間周囲の壁部で突起と当接して突起の変位量を規制可能とする変位規制部が設けられたものである。
【００２０】
即ち、ここでの突起は、片持ち板バネ構造に外部からの外力が加わったとき又は雄型電気接続端子のピン状接続部による挿抜時に変位規制部にあっての空間周囲の壁部と当接可能に変位することにより、挿抜方向とバネ片部における変位方向との両方向でバネ片部の変位を規制して過大変形を防止可能とする。又、この突起は、バネ片部における開口部側寄りのピン状接続部の挿入を案内するための案内部に設けられることが好ましい。変位規制部については、例えば切り欠き開口部として突起を切り欠き開口部にあっての空間へ突出させ、且つ接続部における壁面の表面から突出しない寸法で設ける構造（突起が切り欠き開口部で露呈されても外壁面には突出しない構造）としたり、或いは変位規制部を凹部として突起を凹部にあっての空間へ突出させ、且つ凹部の凹み面に当接しない寸法で設ける構造（突起が外壁面に露呈しない構造）とし、外部からの外力による過大変形の防止機能を得るように配慮することが望ましい。尚、接続部の開口部の断面形状は、雄型電気接続端子のピン状接続部の断面形状に対応するものであり、ピン状接続部を挿入可能なものであれば任意なものにして良く、例えば断面ロ字状やＵ字状等である場合を例示することができる。
【実施例１】
【００２１】
図１は、本発明の実施例１に係る雌型電気接続端子１０の概略構造を示したものであり、同図（ａ）は全体の外観を示した斜視図に関するもの，同図（ｂ）は長さ方向における側面断面図に関するものである。又、図２は、この雌型電気接続端子１０の基本構造を一部透視させて示したものであり、同図（ａ）は正面方向からの正面図に関するもの，同図（ｂ）は上面方向からの平面図に関するもの，同図（ｃ）は右方向からの側面図に関するものである。
【００２２】
この雌型電気接続端子１０は、従来の場合と同様に母材板からの打ち抜き及び折り曲げを経て形成されるもので、基本構造として、相手側の雄型電気接続端子（略図する）との嵌合接続に供される接続部１１と、この接続部１１から延在して電線（略図する）の接続保持に供される電線保持部１２とを一軸方向に延在するように一体的に有する。更に、接続部１１については、雄型電気接続端子におけるピン状接続部を挿入可能な断面形状が略ロ字状である開口部を区画形成した壁面を有するもので、具体的には底面１１ｂから両方の側面１１ｃ，１１ｄが立設されると共に、一つの側面１１ｄから底面１１ｂと対向する上面１１ａが形成されるように折り返され、且つ側面１１ｃから折り返されて上面１１ａ下で一軸方向に延在するように形成された舌状のバネ片部１３を含んだ片持ち板バネ構造を有している。
【００２３】
但し、ここでのバネ片部１３は、開口部の入口側寄りの先端近傍が自由端としての案内部１３ｂとなっており、この案内部１３ｂにおける開口部の口径方向で対向する両縁辺の２箇所には開口部の外方側へ突出するように突起１３ａが形成されている。又、壁面にあっての突起１３ａの近傍箇所である上面１１ａ及び両方の側面１１ｃ，１１ｄの局部に繋がる箇所には、突起１３ａを変位可能とさせる空間を持つ切り欠き開口部１４がその周囲の壁部で突起１３ａと当接して突起１３ａの変位量を規制可能とする変位規制部として設けられている。更に、突起１３ａは、切り欠き開口部１４にあっての空間へ突出し、且つ接続部１１における壁面にあっての側面１１ｃ，１１ｄの表面から突出しない寸法で設けられている。尚、バネ片部１３の緩やかな曲がりで開口部内へ最も突出した部分は雄型電気接続端子のピン状接続部による挿入時にピン状接続部に対して接触される接点部１３ｃとなるが、これに対向する底面１１ｂの局所に凸部１５を形成し、開口部内にあっての接点部１３ｃ及び凸部１５の間を最も狭め、バネ片部１３の変形による接触力を高めて安定した接触保持が得られるようにしている。
【００２４】
この雌型電気接続端子１０の場合、雄型電気接続端子のピン状接続部による挿抜時に突起１３ａが変位規制部として働く切り欠き開口部１４周囲の壁部と当接可能に変位することにより、挿抜方向とバネ片部１３における変位方向との両方向でバネ片部１３の変位を規制して過大変形を防止することができる。即ち、ピン状接続部による挿入時には突起１３ａの局部Ｔ２が側面１１ｃ，１１ｄの切り欠き開口部１４にあっての奥側の壁部と当接し、抜去時には突起１３ａの局部Ｔ１が側面１１ｃ，１１ｄの切り欠き開口部１４にあっての開口部側（手前側）の壁部と当接して挿抜方向の変位を規制する他、挿抜時における上面１１ａ向きの変位方向については局部Ｔ２の対角部分が切り欠き開口部１４にあっての開口部側（手前側）の壁部の上方と当接して変位方向の変位を規制する。又、切り欠き開口部１４において、上方よりバネ片部１３に対して外力が加わるときには、局部Ｔ１が切り欠き開口部１４の壁部と当接して変位方向の変位を規制する。従って、この雌型電気接続端子１０は、雄型電気接続端子との挿抜時に機能上必要とされる変形に適さない過大変形を防止可能な構造を持つ。
【００２５】
又、この雌型電気接続端子１０の場合、上述の如く突起１３ａを切り欠き開口部１４にあっての空間へ突出させ、且つ接続部１１における壁面にあっての側面１１ｃ，１１ｄの表面から突出しない寸法で設ける構造（突起１３ａが切り欠き開口部１４で露呈されても外壁面には突出しない構造）としているため、外部からの外力による過大変形についても十分に防止することができ、しかも小型化，低背化を容易に図り得る構造となっている。この結果、接続部１１のバネ構造における接触動作についての信頼性が十分に確保されて雄型電気接続端子のピン状接続部を安定して挿抜することができ、従来に無く嵌合接続による電気的な接続を信頼性高く行うことができる上、コネクタハウジングへの収容に際してハウジング部品を傷付けることなく容易に効率良く収容作業を行うことができる。
【００２６】
ところで、このような機能は、バネ構造やその周辺部分を一部変形しても同様に得ることができる。
【００２７】
例えば図３に示すような一変形例に係る雌型電気接続端子１０′の場合、接続部１１′を要部とする同図（ａ）の外観の斜視図、並びに同図（ｂ）の側面断面図を参照すれば、ここでは底面１１ｂ′から両方の側面１１ｃ′，１１ｄ′が立設されると共に、一つの側面１１ｃ′から底面１１ｂ′と対向するように上面１１ａ′が折り返され、且つ側面１１ｄ′から折り返されて上面１１ａ′下で一軸方向に延在するように形成された舌状のバネ片部１３′を含んだ片持ち板バネ構造を有している。
【００２８】
このバネ片部１３′では、案内部１３ｂ′が開口部側へやや細身に形成されて突出し、案内部１３ｂ′の根元から開口部の外側に向くように両方の突起１３ａ′が設けられ、壁面にあっての突起１３ａ′の近傍箇所である両方の側面１１ｃ′，１１ｄ′の局部のみに突起１３ａ′を変位可能とさせる空間を持つ切り欠き開口部１４′がその周囲の壁部で突起１３ａ′と当接して突起１３ａ′の変位量を規制可能とする変位規制部として設けられている。更に、突起１３ａ′は、切り欠き開口部１４′にあっての空間へ突出し、且つ接続部１１′における壁面にあっての側面１１ｃ′，１１ｄ′の表面から突出しない寸法で設けられている。尚、この底面１１ｂ′においても、バネ片部１３′の接点部の対向する位置に凸部１５′が設けられている。
【００２９】
このようなバネ構造を持つ接続部１１′を有する雌型電気接続端子１０′においても、雄型電気接続端子のピン状接続部による挿抜時に突起１３ａ′が変位規制部として働く切り欠き開口部１４′周囲の壁部と当接可能に変位することにより、挿抜方向とバネ片部１３′における変位方向との両方向でバネ片部１３′の変位を規制して過大変形を防止することができ、先の実施例１の構造のものと同等な機能が得られる。ここでの図３（ａ），（ｂ）に示す雌型電気接続端子の場合、バネ片部１３′の殆どが壁面で覆われているため、外部からの外力による過大変形を一層安全に防止することができる。
【００３０】
更に、この雌型電気接続端子に係る他の変形例の場合、図４に示すような接続部１１１の一部を破断した斜視図を参照すれば、ここでは底面１１１ｂから両方の側面１１１ｃ，１１１ｄが立設されると共に、一つの側面１１１ｄから底面１１ｂと対向するように略図する上面１１１ａが折り返され、且つ側面１１１ｃから折り返されて上面１１１ａ下で一軸方向に延在するように形成された舌状のバネ片部１３１を含んだ片持ち板バネ構造を有するものである。この接続部１１１では、突起１３１ａの近傍箇所となる両方の側面１１１ｃ，１１１ｄの局部における内側に変位規制部として働く凹部１４１がシャー抜きやコイニング等の手法により設けられると共に、突起１３１ａが凹部１４１にあっての空間へ突出し、且つ凹部１４１の凹み面に当接しない寸法で設けられている。ここでの図４に示す雌型電気接続端子の場合、バネ片部１３１が完全に壁面で覆われる構造（突起１３１ａが外壁面に露呈しない構造）であるため、外部からの外力による過大変形を強固に防止することができる。
【００３１】
又、この雌型電気接続端子の別の変形例の場合、図５に示すような接続部１１１′の一部を破断した斜視図を参照すれば、ここでは底面１１１ｂから両方の側面１１１ｃ′，１１１ｄ′が立設されると共に、一つの側面１１１ｄ′から底面１１ｂと対向するように略図する上面１１１ａが折り返され、且つ側面１１１ｃ′から折り返されて上面１１１ａ下で一軸方向に延在するように形成された舌状のバネ片部１３１を含んだ片持ち板バネ構造を有する点は図４の構造のものと同じであるが、ここでの接続部１１１′は、突起１３１ａの近傍箇所となる両方の側面１１１ｃ′，１１１ｄ′の局部が幾分外方へ膨らんでおり、この膨らみ部分の内側に変位規制部として働く凹部１４１′がシャー抜きやコイニング等の手法により設けられると共に、突起１３１ａが凹部１４１′にあっての空間へ突出し、且つ凹部１４１′の凹み面に当接しない寸法で設けられている。ここでの図５に示す雌型電気接続端子の場合も、図４に示すものと同様にバネ片部１３１が完全に壁面で覆われる構造（突起１３１ａ′が外壁面に露呈しない構造）であるため、外部からの外力による過大変形を強固に防止することができる。
【実施例２】
【００３２】
図６は、本発明の実施例２に係る雌型電気接続端子２０の全体の外観を示した斜視図である。又、図７は、この雌型電気接続端子２０の各矢視方向における接続部２１の要部構造を一部透視して示したもので、同図（ａ）は矢視Ｖ１方向における側面図に関するもの，同図（ｂ）は矢視Ｖ２方向における側面図に関するもの，同図（ｃ）は矢視Ｖ３方向における上面図に関するもの，同図（ｄ）は矢視Ｖ４方向における底面図に関するものである。
【００３３】
この雌型電気接続端子２０は、従来の場合と同様に母材板からの打ち抜き及び折り曲げを経て形成されるもので、基本構造として、相手側の雄型電気接続端子（略図する）との嵌合接続に供される接続部２１と、この接続部２１から延在して電線（略図する）の接続保持に供される電線保持部２２とを一軸方向に延在するように一体的に有する。更に、接続部２１については、雄型電気接続端子におけるピン状接続部を挿入可能な断面形状が略ロ字状である開口部を区画形成した壁面を有するもので、具体的には底面２１ｂから両方の側面２１ｃ，２１ｄが立設されると共に、一つの側面２１ｄから底面２１ｂと対向する上面２１ａが形成されるように折り返され、且つ側面２１ｃから折り返されて上面２１ａ下で一軸方向に延在するように形成された舌状のバネ片部２３と、予め底面２１ｂの所定箇所を切り欠いて舌状のバネ片部２３と対向するように同じ形状として折り曲げられて形成される舌状のバネ片部２３′とを含んだ片持ち板バネ構造を有している。
【００３４】
但し、ここでの対向するバネ片部２３，２３′は、それぞれ開口部の入口側寄りの先端近傍が自由端としての案内部２３ｂ，２３ｂ′となっており、この案内部２３ｂ，２３ｂ′における開口部の口径方向で一縁辺の対角する箇所には開口部の外方側へ突出するように突起２３ａ，２３ａ′が形成されている。又、壁面にあっての突起２３ａ，２３ａ′の近傍箇所である上面２１ａ及び底面２１ｂと両方の側面２１ｃ，２１ｄとの局部に繋がる箇所には、突起２３ａ，２３ａ′を変位可能とさせる空間を持つ切り欠き開口部２４がその周囲の壁部でそれぞれ突起２３ａ，２３ａ′と当接して突起２３ａ，２３ａ′の変位量を規制可能とする変位規制部として設けられている。更に、突起２３ａ，２３ａ′は、切り欠き開口部２４にあっての空間へ突出し、且つ接続部２１における壁面にあっての側面２１ｃ，２１ｄの表面から突出しない寸法で設けられている。
【００３５】
即ち、この雌型電気接続端子２０の場合、バネ片部２３，２３′が開口部内で対向するように設けられた一対のものから成り、これらのバネ片部２３，２３′における一方側に対角するように突起２３ａ，２３ａ′が設けられ、変位規制部として働く切り欠き開口部２４が壁面にあっての突起２３ａ，２３ａ′の近傍箇所で突起２３ａ，２３ａ′を変位可能に設けられたもので、実施例１の場合と同様に雄型電気接続端子のピン状接続部による挿抜時に突起２３ａ，２３ａ′が変位規制部として働く切り欠き開口部２４周囲の壁部（側面２１ｃ，２１ｄのもの）と当接可能に変位することにより、挿抜方向とバネ片部２３，２３′における変位方向との両方向でバネ片部２３，２３′の変位を規制して過大変形を防止するため、先の実施例１の構造のものと同等な機能が得られる。
【００３６】
尚、実施例２の構造では対向するバネ片部２３，２３′の両方が突起２３ａ，２３ａ′を持つものとして説明したが、バネ片部２３，２３′の何れか一方のみに突起を持たせ、壁面における突起近傍の対応する箇所にのみ変位規制部を設けるようにしても良い。その他、実施例１，２の何れの構造のものにおいても、接続部１１，１１′，２１，１１１，１１１′について、雄型電気接続端子におけるピン状接続部を挿入可能な断面形状が略ロ字状である開口部を区画形成した壁面を有するものとして説明したが、開口部の断面形状はピン状接続部の断面形状に対応させてＵ字状等の他のものを適用させることも可能である。
【図面の簡単な説明】
【００３７】
【図１】本発明の実施例１に係る雌型電気接続端子の概略構造を示したものであり、（ａ）は全体の外観を示した斜視図に関するもの，（ｂ）は長さ方向における側面断面図に関するものである。
【図２】図１に示す雌型電気接続端子の基本構造を一部透視させて示したものであり、（ａ）は正面方向からの正面図に関するもの，（ｂ）は上面方向からの平面図に関するもの，（ｃ）は右方向からの側面図に関するものである。
【図３】図１に示す雌型電気接続端子の一変形例に係る接続部を要部とする概略構造を示したものであり、（ａ）は外観の斜視図に関するもの，（ｂ）は長さ方向における側面断面図に関するものである。
【図４】図３に示す雌型電気接続端子の他の変形例に係る要部である接続部を一部破断して示した斜視図である。
【図５】図４に示す雌型電気接続端子の別の変形例に係る要部である接続部を一部破断して示した斜視図である。
【図６】本発明の実施例２に係る雌型電気接続端子の全体の外観を示した斜視図である。
【図７】図６に示す雌型電気接続端子の各矢視方向における接続部の要部構造を一部透視して示したもので、（ａ）は矢視Ｖ１方向における側面図に関するもの，（ｂ）は矢視Ｖ２方向における側面図に関するもの，（ｃ）は矢視Ｖ３方向における上面図に関するもの，（ｄ）は矢視Ｖ４方向における底面図に関するものである。
【符号の説明】
【００３８】
１０，１０′，２０    雌型電気接続端子
１１，１１′，２１，１１１，１１１′    接続部
１１ａ，１１ａ′２１ａ    上面
１１ｂ，１１ｂ′，２１ｂ，１１１ｂ    底面
１１ｃ，１１ｄ，１１ｃ′，１１ｄ′，２１ｃ，２１ｄ，１１１ｃ，１１１ｄ，１１１ｃ′，１１１ｄ′    側面
１２，２２    電線保持部
１３，１３′，２３，２３′，１３１，１３１′    バネ片部
１３ａ，１３ａ′，２３ａ，２３ａ′，１３１ａ，１３１ａ′    突起
１３ｂ，１３ｂ′，２３ｂ，２３ｂ′    案内部
１４，１４′，２４    切り欠き開口部
１５，１５′    凸部
１４１，１４１′    凹部
【図１】
2005243459.tif 000003
【図２】
2005243459.tif 000004
【図３】
2005243459.tif 000005
【図４】
2005243459.tif 000006
【図５】
2005243459.tif 000007
【図６】
2005243459.tif 000008
【図７】
2005243459.tif 000009